(57)【要約】【課題】容易な処理で信頼性の高いシミュレーション結果を得る。【解決手段】制御信号を生成する制御処理手段１１１と、制御信号に応じて、発電手段が発電する発電量を、直流の電流量として演算する発電量演算手段１１２と、制御信号に応じて、蓄電手段の蓄電量又は放電量を、直流の電流量として演算する蓄電量演算手段１１３と、制御信号に応じて、消費手段の消費電力を直流の電流量として演算する消費量演算手段１１４と、各演算手段で演算された電流量を利用して、調整手段が調整した場合に電力供給元からエネルギーネットワークシステムに出入りする電力量を、直流の電流量として演算する供給量演算手段１１５と、発電量演算手段、蓄電量演算手段、消費量演算手段及び供給量演算手段で演算された電流量を利用して、エネルギーネットワークシステムにおける電力の需給の状況を演算し、シミュレーション結果として求める需給量演算手段１１６とを備える。【選択図】図２
2015080346.tif 000002
【特許請求の範囲】
【請求項１】
電力供給元である商用電源との間で出入りする電力量を調整する調整手段と、自家発電する発電手段と、前記電力供給元から供給された電力及び前記発電手段で発電された電力を蓄電するとともに蓄電した電力を放電する蓄電手段と、前記電力供給元から供給された電力、前記発電手段で発電された電力及び前記蓄電手段から放電された電力を消費する消費手段とが接続されるエネルギーネットワークシステムにおける電力の需給に関するシミュレーションの実行時に、前記発電手段、前記蓄電手段及び前記消費手段の各シミュレーション条件を示す制御信号を生成する制御処理手段と、
前記制御処理手段で生成された前記発電手段に対応する制御信号に応じて、前記発電手段が発電する発電量を、予め定められる演算方法によって直流の電流量として演算する発電量演算手段と、
前記制御処理手段で生成された前記蓄電手段に対応する制御信号に応じて、前記蓄電手段の蓄電量又は放電量を、予め定められる演算方法によって直流の電流量として演算する蓄電量演算手段と、
前記制御処理手段で生成された前記消費手段に対応する制御信号に応じて、前記消費手段が消費する消費量を、予め定められる演算方法によって直流の電流量として演算する消費量演算手段と、
前記発電量演算手段、前記蓄電量演算手段及び前記消費量演算手段で演算された電流量を利用して、前記調整手段が調整した場合に前記電力供給元と前記エネルギーネットワークシステムとの間で出入りする電力量を、予め定められる演算方法によって直流の電流量として演算する供給量演算手段と、
前記発電量演算手段、前記蓄電量演算手段、前記消費量演算手段及び前記供給量演算手段で演算された電流量を利用して、前記エネルギーネットワークシステムにおける電力の需給の状況を演算し、シミュレーション結果として求める需給量演算手段と、
を備えることを特徴とするシミュレーション装置。
【請求項２】
電力供給元である商用電源との間で出入りする電力量を調整する調整手段と、自家発電する発電手段と、前記電力供給元から供給された電力及び前記発電手段で発電された電力を蓄電するとともに蓄電した電力を放電する蓄電手段と、前記電力供給元から供給された電力、前記発電手段で発電された電力及び前記蓄電手段から放電された電力を消費する消費手段とが接続されるエネルギーネットワークシステムにおける電力の需給をシミュレーションするシミュレーション方法であって、
シミュレーションの実行時に、前記発電手段、前記蓄電手段及び前記消費手段の各シミュレーション条件を示す制御信号を生成する生成ステップと、
生成ステップで生成された前記発電手段に対応する制御信号に応じて、前記発電手段が発電する発電量を、予め定められる演算方法によって直流の電流量として演算する発電量演算ステップと、
生成ステップで生成された前記蓄電手段に対応する制御信号に応じて、前記蓄電手段の蓄電量又は放電量を、予め定められる演算方法によって直流の電流量として演算する蓄電量演算ステップと、
生成ステップで生成された前記消費手段に対応する制御信号に応じて、前記消費手段が消費する消費量を、予め定められる演算方法によって直流の電流量として演算する消費量演算ステップと、
発電量演算ステップ、蓄電量演算ステップ及び消費量演算ステップで演算された各電流量を利用して、前記調整手段が調整した場合に前記電力供給元と前記エネルギーネットワークシステムとの間で出入りする電力量を、予め定められる演算方法によって直流の電流量として演算する供給量演算ステップと、
演算された各電流量を利用して、エネルギーネットワークシステムにおける電力の需給の状況を演算し、シミュレーション結果として求める需給量演算ステップと、
を有することを特徴とするシミュレーション方法。
【請求項３】
発電量演算ステップで使用される演算方法は、発電手段の動作特性が考慮されるとともに、
蓄電量演算ステップで使用される演算方法は、蓄電手段の動作特性が考慮されている
ことを特徴とする請求項２に記載のシミュレーション方法。
【発明の詳細な説明】
【技術分野】
【０００１】
本発明はエネルギーネットワークシステムにおける需給の状況をシミュレーションするシミュレーション装置及びシミュレーション方法に関する。
【背景技術】
【０００２】
マイクログリッド等のエネルギーネットワークシステムを利用する際、運用計画等を目的としてエネルギーネットワークシステムにおける電力の需給をシミュレーションすることがある。例えば、シミュレーション方法としては、エネルギーネットワークシステムが有する機器の構成や動作特性を考慮して各機器をそれぞれ厳密にモデル化し、実際と同等の条件を使用してシミュレーションする方法がある（例えば、特許文献１参照）。
【０００３】
その他、各機器は考慮せず、エネルギーネットワークシステムにおける発電量や電気料金等を利用して、シミュレーションする方法もある。
【先行技術文献】
【特許文献】
【０００４】
【特許文献１】特開２０１２−５２１０号公報
【発明の概要】
【発明が解決しようとする課題】
【０００５】
しかしながら、使用する各機器を厳密にモデル化する場合、各機器の構成や特性に関するデータを収集する必要があり、モデル化に多大な手間を要する。また、厳密にモデル化した場合には、交流電流の波形で表される時間変化の考慮等、演算方法が複雑となって演算時間が長くなる。したがって、容易にシミュレーション結果を得ることは困難である。
【０００６】
また、発電量や電気料金等を利用する場合、容易にシミュレーション結果を得ることはできるものの、各機器の特性は全く考慮されない。したがって、得られるシミュレーション結果は信頼性が低いものとなる。
【０００７】
上記課題に鑑み、本発明は、エネルギーネットワークシステムにおける需給の状況をシミュレーションする際に、容易な処理で信頼性の高いシミュレーション結果を得ることを目的とする。
【課題を解決するための手段】
【０００８】
上記目的を達成するために、請求項１記載の発明は、電力供給元である商用電源との間で出入りする電力量を調整する調整手段と、自家発電する発電手段と、前記電力供給元から供給された電力及び前記発電手段で発電された電力を蓄電するとともに蓄電した電力を放電する蓄電手段と、前記電力供給元から供給された電力、前記発電手段で発電された電力及び前記蓄電手段から放電された電力を消費する消費手段とが接続されるエネルギーネットワークシステムにおける電力の需給に関するシミュレーションの実行時に、前記発電手段、前記蓄電手段及び前記消費手段の各シミュレーション条件を示す制御信号を生成する制御処理手段と、前記制御処理手段で生成された前記発電手段に対応する制御信号に応じて、前記発電手段が発電する発電量を、予め定められる演算方法によって直流の電流量として演算する発電量演算手段と、前記制御処理手段で生成された前記蓄電手段に対応する制御信号に応じて、前記蓄電手段の蓄電量又は放電量を、予め定められる演算方法によって直流の電流量として演算する蓄電量演算手段と、前記制御処理手段で生成された前記消費手段に対応する制御信号に応じて、前記消費手段が消費する消費量を、予め定められる演算方法によって直流の電流量として演算する消費量演算手段と、前記発電量演算手段、前記蓄電量演算手段及び前記消費量演算手段で演算された電流量を利用して、前記調整手段が調整した場合に前記電力供給元とエネルギーネットワークシステムとの間で出入りする電力量を、予め定められる演算方法によって直流の電流量として演算する供給量演算手段と、前記発電量演算手段、前記蓄電量演算手段、前記消費量演算手段及び供給量演算手段で演算された電流量を利用して、前記エネルギーネットワークシステムにおける電力の需給の状況を演算し、シミュレーション結果として求める需給量演算手段とを備えることを特徴とする。
【０００９】
請求項２記載の発明は、電力供給元である商用電源との間で出入りする電力量を調整する調整手段と、自家発電する発電手段と、前記電力供給元から供給された電力及び前記発電手段で発電された電力を蓄電するとともに蓄電した電力を放電する蓄電手段と、前記電力供給元から供給された電力、前記発電手段で発電された電力及び前記蓄電手段から放電された電力を消費する消費手段とが接続されるエネルギーネットワークシステムにおける電力の需給をシミュレーションするシミュレーション方法であって、シミュレーションの実行時に、前記発電手段、前記蓄電手段及び前記消費手段の各シミュレーション条件を示す制御信号を生成する生成ステップと、生成ステップで生成された前記発電手段に対応する制御信号に応じて、前記発電手段が発電する発電量を、予め定められる演算方法によって直流の電流量として演算する発電量演算ステップと、生成ステップで生成された前記蓄電手段に対応する制御信号に応じて、前記蓄電手段の蓄電量又は放電量を、予め定められる演算方法によって直流の電流量として演算する蓄電量演算ステップと、生成ステップで生成された前記消費手段に対応する制御信号に応じて、前記消費手段が消費する消費量を、予め定められる演算方法によって直流の電流量として演算する消費量演算ステップと、発電量演算ステップ、蓄電量演算ステップ及び消費量演算ステップで演算された各電流量を利用して、前記調整手段が調整した場合に前記電力供給元と前記エネルギーネットワークシステムとの間で出入りする電流量として演算する供給量演算ステップと、演算された各電流量を利用して、エネルギーネットワークシステムにおける電力の需給の状況を演算し、シミュレーション結果として求める需給量演算ステップとを有することを特徴とする。
【００１０】
請求項３記載の発明は、発電量演算ステップで使用される演算方法は、発電手段の動作特性が考慮されるとともに、蓄電量演算ステップで使用される演算方法は、蓄電手段の動作特性が考慮されていることを特徴とする。
【発明の効果】
【００１１】
本発明によれば、エネルギーネットワークシステムにおける需給の状況をシミュレーションする際に、容易な処理で信頼性の高いシミュレーション結果を得ることができる。
【図面の簡単な説明】
【００１２】
【図１】シミュレーション対象となるエネルギーネットワークシステムを説明する概略図である。
【図２】シミュレーション装置の構成を説明するブロック図である。
【図３】シミュレーションの際の発電量の演算方法を説明するグラフである。
【図４】シミュレーション処理を説明するフローチャートである。
【発明を実施するための形態】
【００１３】
実施形態に係るシミュレーション装置およびシミュレーション方法は、マイクログリッド等のエネルギーネットワークシステムにおける電力の需給をシミュレーションするものである。
【００１４】
〈エネルギーネットワークシステム〉
図１に示すように、シミュレーション対象となるエネルギーネットワークシステム１は、電力会社等の電力供給元からエネルギーネットワークシステム１に出入りする電力量を調整する調整手段３と、電力を発電する発電手段４と、電力を蓄電するとともに放電する蓄電手段５と、供給される電力を消費する消費手段６とが配電線２を介して接続されている。
【００１５】
また、このエネルギーネットワークシステム１は、発電手段４、蓄電手段５及び消費手段６を制御する制御装置７を有している。さらに、エネルギーネットワークシステム１は、複数のセンサＳ（Ｓ３，Ｓ４１，Ｓ４２，Ｓ５，Ｓ６１，Ｓ６２）を有している。
【００１６】
制御装置７は、各センサＳの計測値を入力すると、入力した計測値を利用してエネルギーネットワークシステム１における電力の需給状況を把握することができる。また、制御装置７は、入力した計測値を利用して発電手段４及び蓄電手段５を制御することができる。
【００１７】
調整手段３は、エネルギーネットワークシステム１が電力供給元である商用電源から供給を受ける電力の量（受電量）や、エネルギーネットワークシステム１内で余剰になった電力を電力供給元に送り返す（売電する）電力の量を調整する装置である。調整手段３は、エネルギーネットワークシステム１の電力の需給状況に応じてエネルギーネットワークシステム１に出入りする電力の量を調整することができる。調整手段３の調整された結果として電力供給元からエネルギーネットワークシステム１に出入りする電力量は、センサＳ３によって計測される。
【００１８】
ここで、調整手段３は、電力供給元からの供給量は発電手段４の発電量、蓄電手段５の蓄電量及び放電量、消費手段６の消費量に応じて電力量を調整する。例えば、調整手段３は、式（１）に示すように、需給のバランスが取れ、発電量、消費量、蓄電量及び放電量の総和がゼロになるように電力供給元から供給を受ける電力量を調整する。また、調整手段３は、エネルギーネットワークシステム１内で余剰分となったために電力供給元へ送り出す電力量を調整する。
【００１９】
Ａ＝(Ｂ＋Ｃ)−(Ｄ＋Ｅ) ・・・（１）
Ａ：エネルギーネットワークシステム１へ出入りする電力量
Ｂ：消費手段６による消費量
Ｃ：蓄電手段５による蓄電量
Ｄ：発電手段４による発電量
Ｅ：蓄電手段５による放電量
発電手段４は、例えば、自然エネルギーを利用して自家発電する太陽光発電装置４１や風力発電装置４２等である。発電手段４は、制御装置７から入力する制御信号に応じて発電量を制御する。図１に示す例では、太陽光発電装置４１は、ソーラーパネル等を有する発電部４３と、発電部４３で発電された電力を出力形式の電力に変換するパワーコンディショナ（ＰＣＳ）４４とを有している。また、風力発電装置４２は、プロペラ等を有する発電部４５と、発電部４５で発電された電力を出力形式の電力に変換するパワーコンディショナ（ＰＣＳ）４６とを有している。太陽光発電装置４１で発電されて供給される電力量は、センサＳ４１によって計測される。また、風力発電装置４２で発電された供給される発電量は、センサＳ４２によって計測される。なお、発電手段４は、発電した電力をエネルギーネットワークシステムに供給することが可能であれば、図１に示す構成に限定されない。
【００２０】
蓄電手段５は、例えば、図１に示すように、制御に応じて電力供給元から供給された電力及び発電手段４が発電した電力を蓄電し又は蓄電した電力を放電する蓄電池５１と直流の電力を交流に変換するインバータ５２とを有している。蓄電手段５は、制御装置７から入力する制御信号に応じて電力の蓄電と放電を切り替える。蓄電手段５における蓄電及び放電の電力量は、センサＳ５によって計測される。なお、図１に示す蓄電手段５は、１つの蓄電池５１及び１つのインバータ５２を有する構成であるが、複数の蓄電池及び複数のインバータで構成されていてもよい。また複数の蓄電池及びインバータを有する場合には、それぞれの蓄電や放電を計測するセンサを有していることが好ましい。
【００２１】
具体的には、蓄電手段５における蓄電量及び放電量は、電力会社からの受電量、発電手段４の発電量、消費手段６の消費量に左右される。したがって、例えば、蓄電手段５は、急激に消費量が増加した場合は放電量を増やして受電量の変化を抑制したり、受電量のピークシフトを行う場合は昼間に放電を優先して夜間に蓄電する制御信号を入力する。
【００２２】
消費手段６は、エネルギーネットワークシステム１で供給される電力（電力供給元から供給された電力、発電手段４が発電した電力及び蓄電手段５が放電した電力）の需要先である。この消費手段６は、制御装置７から入力する制御信号に応じて電力の消費量を制御することができる。例えば、消費手段６は、エレベータであったり、照明装置であったり、電力を消費する種々の機器６１，６２である。機器６１の消費電力は、センサＳ６１によって計測され、機器６２の消費電力はセンサＳ６２によって計測される。なお、図１に示す例では、消費手段６は、２つの機器６１，６２を有しているが、消費手段６を構成する機器の数は限定されない。また、複数の機器を有する場合には、機器毎に消費電力を計測するセンサを有していることが好ましい。
【００２３】
制御装置７は、発電手段４、蓄電手段５及び消費手段６を制御する制御信号を生成し、出力する。この制御装置７は、制御する際に、各手段４〜６での需給のバランスの振り分けを制御する振分手段７１を有している。この振分手段７１は、各センサＳの計測値を入力すると、エネルギーネットワークシステム１での電力の需給に応じて需給の効率が最適になるように各手段４〜６での供給量を設定する。例えば、消費手段６による消費（需要）が少なく、発電手段４による発電（供給）が多い場合、発電手段４による発電を押さえるように制御したり、蓄電手段５が蓄電するように制御する。一方、消費手段６による消費（需要）が多い場合、蓄電手段５が放電するように制御する。
【００２４】
〈シミュレーション装置〉
実施形態に係るシミュレーション装置は、エネルギーネットワークシステム１が有する調整手段３、発電手段４、蓄電手段５及び消費手段６の動作を模擬するものであり、図２に示すように、制御処理手段１１１、発電量演算手段１１２、蓄電量演算手段１１３、消費量演算手段１１４、供給量演算手段１１５及び需給量演算手段１１６を有している。このシミュレーション装置１００は、中央処理装置（ＣＰＵ）１１０、記憶装置１２０、通信インタフェース１３０、入力装置１４０及び出力装置１５０等を有する情報処理装置である。また、シミュレーション装置１００は、記憶装置１２０で記憶されるシミュレーションプログラムＰが実行されることで、ＣＰＵ１１０が制御処理手段１１１、発電量演算手段１１２、蓄電量演算手段１１３、消費量演算手段１１４、供給量演算手段１１５及び需給量演算手段１１６として処理を実行する。
【００２５】
また、このシミュレーション装置１００は、図１に示すエネルギーネットワークシステム１と接続されていても良いし、制御装置７内に備えられていてもよい。
【００２６】
制御処理手段１１１は、シミュレーションの実行時に発電手段４、蓄電手段５及び消費手段６に対応する制御信号を生成する。また、制御処理手段１１１は、発電手段４に対応する制御信号を発電量演算手段１１２に出力し、蓄電手段５に対応する制御信号を蓄電量演算手段１１３に出力し、消費手段６に対応する制御信号を消費量演算手段１１４に出力する。例えば、制御処理手段１１１は、制御信号として時刻等のシミュレーション条件を含む信号を生成する。
【００２７】
発電量演算手段１１２は、エネルギーネットワークシステム１の発電手段４をモデル化したものであって、発電手段４が制御処理手段１１１が出力した制御信号を入力した場合の発電量のシミュレーション結果を演算する。具体的には、発電量演算手段１１２は、制御処理手段１１１から入力した制御信号に含まれる条件に応じて、発電手段４が発電する発電量を、予め定められる演算方法によって直流の電流量として演算する。発電量演算手段１１２は、発電量を演算する際、発電手段４の動作特性を考慮することが好ましい。また、図１に示すように、発電手段４が、太陽光発電装置４１及び風力発電装置４２を有するとき、これら全ての発電装置４１，４２の発電量を考慮して電流量を演算する。
【００２８】
発電量演算手段１１２で使用される予め定められる演算方法として、例えば、図３（ａ）に示すような動作特性曲線を利用して太陽光発電装置４１の発電量を求めることができる。太陽光発電は、日照に左右されるため、図３（ａ）に示すように、時刻に応じて発電量が求められる。具体的には、日の出時刻ｔ１までは発電はされないが、日の出時刻ｔ１から時刻ｔ２までは発電量が増加する。また、時刻ｔ２から日没時刻ｔ３までは発電量は減少し、日没時刻ｔ３後は再び発電がされなくなる。したがって、発電量演算手段１１２では、図３（ａ）の動作特性曲線に示すような時刻から発電量を求める演算方法が規定されており、時刻を含む制御信号を入力すると、この時刻に応じて発電量を特定する。なお、日照時間は時刻に加え、季節（日付）や天気等によっても異なるため、発電量の演算方法は、日付や天候の条件を考慮されたものであることが好ましい。また、演算方法で使用する動作特性曲線は、模擬の対象となる太陽光発電装置４１の特性を反映していることが好ましい。このような特性は、実際に装置から測定して反映させることが好ましいが、カタログスペックの特性を利用することで、容易に特性を反映することができる。
【００２９】
また例えば、発電量演算手段１１２で使用される他の演算方法として、図３（ｂ）の動作特性曲線に示すように風力発電装置４２の発電量を求めることができる。風力発電は、風速に左右されるため、図３（ｂ）に示すように、風速に応じて発電量が求められる。具体的には、風速が下限値ｖ１になるまでは、発電されないが、下限値ｖ１から上限値ｖ２までは発電量が増加し、上限値ｖ２からは一定の発電量で発電される。したがって、発電量演算手段１１２では、図３（ｂ）のグラフに示すような風力から発電量を求める演算方法が規定されており、風速を含む制御信号を入力すると、この風速に応じて発電量を特定する。また、演算方法で使用する動作特性曲線は、模擬の対象となる風力発電装置４２の特性を反映していることが好ましい。このような特性は、実際に装置から測定して反映させることが好ましいが、カタログスペックの特性を利用することで、容易に特性を反映することができる。
【００３０】
蓄電量演算手段１１３は、エネルギーネットワークシステム１の蓄電手段５をモデル化したものであって、蓄電手段５が制御処理手段１１１が出力した制御信号を入力した場合の蓄電量又は放電量のシミュレーション結果を演算する。具体的には、蓄電量演算手段１１３は、制御処理手段１１１から入力した制御信号に含まれる条件に応じて、蓄電手段５の蓄電と放電を切り替えるとともに、蓄電する電力量又は放電する電力量を、予め定められる演算方法によって直流の電流量として演算する。蓄電量演算手段１１３は、蓄電量及び放電を演算する際、蓄電手段５の動作特性を考慮することが好ましい。
【００３１】
例えば、蓄電量演算手段１１３が使用する予め定められる演算方法には、蓄電及び放電の動作特性曲線を利用することができる。また、この動作特性曲線は、模擬の対象となる蓄電手段５の特性を反映させることができる。このような特性は、実際に装置から測定して反映させることが好ましいが、カタログスペックの特性を利用することで、容易に特性を反映することができる。
【００３２】
消費量演算手段１１４は、エネルギーネットワークシステム１の消費手段６をモデル化したものであって、制御処理手段１１１から入力した制御信号に含まれる条件応じて、予め定められる演算方法によって消費手段６が消費する電力のシミュレーション結果を、直流の電流として演算する。例えば、消費電力は時刻や曜日等に応じて異なるため、この消費量演算手段１１４が使用する予め定められる演算方法は、時刻や曜日に応じて消費量が求められるように規定することができる。また、消費量演算手段１１４は、消費量を演算する際、消費手段６の動作特性を考慮することが好ましい。
【００３３】
供給量演算手段１１５は、エネルギーネットワークシステム１の調整手段３をモデル化したものであって、調整手段３が発電量演算手段１１２、蓄電量演算手段１１３及び消費量演算手段１１４の演算結果を入力した場合のエネルギーネットワークシステム１に出入りする電力量のシミュレーション結果を演算する。
【００３４】
具体的には、供給量演算手段１１５は、各演算手段１１２〜１１４で演算された電流量に応じて、調整手段３が調整した結果により電力供給元からエネルギーネットワークシステム１に供給される電力量、または、エネルギーネットワークシステム１から電力供給元へ送り出される電力量（供給量）を、予め定められる演算方法によって直流の電流量として演算する。この供給量演算手段１１５が使用する予め定められる演算方法には、上述した式（１）を利用することができる。ここで、例えば、求められた供給量がプラスの値であるとき、求められた値はエネルギーネットワークシステム１に供給される電力量であり、求められた供給量がマイナスの値であるとき、求められた値はエネルギーネットワークシステム１から売電される電力量であると考えることができる。
【００３５】
需給量演算手段１１６は、発電量演算手段１１２、蓄電量演算手段１１３、消費量演算手段１１４及び供給量演算手段１１５の演算結果を入力し、シミュレーション対象のエネルギーネットワークシステム１における電力の需給状況を演算する。この演算結果が、エネルギーネットワークシステム１の電力需給のシミュレーション結果となる。
【００３６】
具体的には、エネルギーネットワークシステム１で電力供給量は、発電量演算手段１１２で演算された発電量、蓄電量演算手段１１３で演算された放電量、供給量演算手段１１５で演算された電力供給元から供給される電力量の合計で表すことができる。また、エネルギーネットワークシステム１での電力需要量は、蓄電量演算手段１１３で演算された蓄電量、消費量演算手段１１４で演算された消費量、供給量演算手段１１５で演算された電力供給元に送り出される電力量の合計で表すことができる。
【００３７】
〈シミュレーション処理〉
図４に示すフローチャートを利用してシミュレーション装置１００で実行されるシミュレーション処理について説明する。まず、シミュレーション装置１００では、シミュレーション処理を実行するタイミングで制御処理手段１１１がシミュレーションの条件を含む制御信号を生成し、生成した制御信号を、発電量演算手段１１２、蓄電量演算手段１１３及び消費量演算手段１１４にそれぞれ出力する（ＳＴ０１）。シミュレーション処理を実行するタイミングは、例えば、予め定められる定期的なタイミングであったり、入力装置１４０を介してシミュレーションの開始のリクエスト信号が入力されたタイミングである。また、制御処理手段１１１が生成する制御信号が含む条件は、シミュレーションの実行に必要な時刻、風速等である。
【００３８】
発電量演算手段１１２は、入力した信号を利用して発電手段４の発電量のシミュレーション結果を演算し、演算結果である直流電流の値を供給量演算手段１１５及び需給量演算手段１１６に出力する（ＳＴ０２）。また、蓄電量演算手段１１３は、入力した信号を利用して蓄電手段の蓄電量及び放電量のシミュレーション結果を演算し、演算結果である直流電流の値を供給量演算手段１１５及び需給量演算手段１１６に出力する（ＳＴ０３）。さらに、消費量演算手段１１４は、入力した信号を利用して消費手段６の電力の消費量のシミュレーション結果を演算し、演算結果である直流電流の値を供給量演算手段１１５及び需給量演算手段１１６に出力する（ＳＴ０４）。なお、このステップＳＴ０２〜ＳＴ０４の演算処理の順序は図４の順序に限定されず、これらの演算処理は全て同時に実行されることがシミュレーションに要する時間を短縮できることから好ましい。
【００３９】
供給量演算手段１１５は、発電量演算手段１１２、蓄電量演算手段１１３及び消費量演算手段１１４から入力した電流値を利用してエネルギーネットワークシステム１に出入りする電力量（供給量）のシミュレーション結果を演算し、演算結果である直流電流の値を需給量演算手段１１６に出力する（ＳＴ０５）。
【００４０】
発電量演算手段１１２、蓄電量演算手段１１３、消費量演算手段１１４及び供給量演算手段１１５から演算結果の電流値を入力した需給量演算手段１１６は、シミュレーション対象であるエネルギーネットワークシステム１の電力の需給量を演算する（ＳＴ０６）。これにより、エネルギーネットワークシステム１の電力の需給の状況をシミュレーションすることができる。
【００４１】
実施形態に係るシミュレーション装置１００及びシミュレーション方法では、シミュレーションの際、各演算手段１１２〜１１６で発電量や消費量の電力を直流電流として扱っている。したがって、波形で表される交流電流を演算に使用する場合には時間変化の考慮が必要になるが、直流電流では交流波形で必要になる周期毎の演算が不要となり、演算を単純にすることができる。また、直流電流の場合、直流・交流の変換に関する機器の演算が不要となるため、演算を単純にすることができる。
【００４２】
また、シミュレーション装置１００において各演算手段で演算方法を規定する際に各手段４〜６の動作特性を考慮した演算方法を規定することで、好適なシミュレーション結果を得ることが可能になる。具体的には、発電量演算手段１１２では、発電手段４の動作特性を考慮して信頼性の高い発電量のシミュレーション結果を得ることができる。また、蓄電量演算手段１１３では、蓄電手段５の動作特性を考慮して信頼性の高い蓄電量及び放電量のシミュレーション結果を得ることができる。さらに、消費量演算手段１１４では、消費手段６の動作特性を考慮して信頼性の高い消費量のシミュレーション結果を得ることができる。
【００４３】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００４４】
１  エネルギーネットワークシステム
２  配電線
３  調整手段
４  発電手段
４１  太陽光発電装置
４２  風力発電装置
４３  発電部
４５  発電部
４４，４６  ＰＣＳ
５  蓄電手段
５１  蓄電池
５２  インバータ
６  消費手段
６１，６２  機器
７  制御装置
１００  シミュレーション装置
１１０  ＣＰＵ
１１１  制御処理手段
１１２  発電量演算手段
１１３  蓄電量演算手段
１１４  消費量演算手段
１１５  供給量演算手段
１１６  需給量演算手段
１２０  記憶装置
１３０  通信インタフェース
１４０  入力装置
１５０  出力装置
【図１】
2015080346.tif 000003
【図２】
2015080346.tif 000004
【図３】
2015080346.tif 000005
【図４】
2015080346.tif 000006